(57)【要約】【課題】パネルのアダプタ取付孔にアダプタ本体を挿入した際に、アダプタ取付孔の開口縁内側とアダプタ本体の側面との間に発生した隙間に起因するガタの発生を効果的に防止する。【解決手段】光コネクタ用のアダプタ本体１０に取り付けたコ字枠状のガタ止め具１を、コ字枠の両端側面部３がパネルＰのアダプタ取付孔Ｑの開口縁内側に圧接するよう斜め外方向に折曲してなる第１係止片部３ａ、３ｂと、アダプタ本体１０の各側面部に形成した係止突部１１ａ、１１ｂに対向すべくコ字枠の両端側面部３中央から斜め外方向に切り起こしてなる第２係止片部４ａ、４ｂとによって構成する。【選択図】図１
2011133611.tif 000002
【特許請求の範囲】
【請求項１】
光コネクタ用のアダプタ本体に取り付けられるコ字枠状のガタ止め具を備え、該ガタ止め具は、コ字枠の両端側面部がパネルのアダプタ取付孔の開口縁内側に押接するよう斜め外方向に折曲してなる第１係止片部と、アダプタ本体の両側面部に形成された係止突部に対向すべくコ字枠の両端側面部中央から斜め外方向に切り起こしてなる第２係止片部とを備え、アダプタ本体は、前記ガタ止め具の第２係止片部を押圧しながらアダプタ取付孔に挿入され、前記係止突部と第２係止片部との間にアダプタ取付孔の開口縁部を挟んで固定すると共に、ガタ止め具の第１係止片部は圧潰されてアダプタ取付孔の開口縁内側に圧接するよう形成したことを特徴とする光コネクタ用アダプタのガタ止め機構。
【発明の詳細な説明】
【技術分野】
【０００１】
本発明は、光コネクタプラグの高密度実装における光コネクタ用アダプタのガタ止め機構に関する。
【背景技術】
【０００２】
従来より、光コネクタプラグの高密度実装に使用する光コネクタ用アダプタのガタ止め機構としては、図７に示すように、光コネクタ用のアダプタ本体１００の側面に形成された係止突部１０１ａ、１０１ｂと、該係止突部１０１ａ、１０１ｂに対向して形成されたパネルＰ固定用のバネ性係止片１０２ａ、１０２ｂとを備え、該バネ性係止片１０２ａ、１０２ｂを押圧しながらパネルＰのアダプタ取付孔Ｑに挿入され、前記係止突部１０１ａ、１０１ｂとバネ性係止片１０２ａ、１０２ｂとの間にアダプタ取付孔Ｑの開口縁部を挟んで固定するという所謂スナップイン方式を採っている。
【先行技術文献】
【特許文献】
【０００３】
【特許文献１】特に無し
【発明の概要】
【発明が解決しようとする課題】
【０００４】
しかしながら、従来においては、パネルＰのアダプタ取付孔Ｑに光コネクタ用のアダプタ本体１００が挿入された際には、係止突部１０１ａ、１０１ｂとバネ性係止片１０２ａ、１０２ｂとによって挟まれたアダプタ取付孔Ｑの開口縁内側とアダプタ本体１００との間に隙間が生じ、これによりアダプタ本体１００には上下左右方向にガタが発生する問題があった。
【０００５】
さらに、パネルＰを震動させるとこのようなアダプタ本体１００のガタ付きによりガタガタと音を出してしまうという問題もあった。
【０００６】
そこで、本発明は、叙上のような従来存した諸事情に鑑み案出されたもので、パネルのアダプタ取付孔に光コネクタ用のアダプタ本体が挿入された際に、アダプタ取付孔の開口縁内側とアダプタ本体の側面との間に生じた隙間に起因するガタの発生を効果的に防止することができる光コネクタ用アダプタのガタ止め機構を提供することを目的とする。
【課題を解決するための手段】
【０００７】
上述した課題を解決するために、本発明にあっては、光コネクタ用のアダプタ本体に取り付けられるコ字枠状のガタ止め具を備え、該ガタ止め具は、コ字枠の両端側面部がパネルのアダプタ取付孔の開口縁内側に押接するよう斜め外方向に折曲してなる第１係止片部と、アダプタ本体の両側面部に形成された係止突部に対向すべくコ字枠の両端側面部中央から斜め外方向に切り起こしてなる第２係止片部とを備え、アダプタ本体は、前記ガタ止め具の第２係止片部を押圧しながらアダプタ取付孔に挿入され、前記係止突部と第２係止片部との間にアダプタ取付孔の開口縁部を挟んで固定すると共に、ガタ止め具の第１係止片部は圧潰されてアダプタ取付孔の開口縁内側に圧接するよう形成したことを特徴としている。
【発明の効果】
【０００８】
本発明によれば、パネルのアダプタ取付孔に光コネクタ用のアダプタ本体が挿入された際に、アダプタ取付孔の開口縁内側とアダプタ本体の側面との間に生じた隙間に起因するガタ付きを効果的に防止することができる。
【０００９】
すなわち、本発明のガタ止め具は、コ字枠の両端側面部がパネルのアダプタ取付孔の開口縁内側に圧接するよう斜め外方向に折曲してなる第１係止片部と、アダプタ本体の両側面部に形成された係止突部に対向すべくコ字枠の両端側面部中央から斜め外方向に切り起こしてなる第２係止片部とを備えているので、アダプタ本体がパネルのアダプタ取付孔に挿入された際に、ガタ止め具の第２係止片部を押圧しながらアダプタ取付孔に挿入され、前記係止突部と第２係止片部との間にアダプタ取付孔の開口縁部を挟んで固定可能にすると同時に、第１係止片部は圧潰されてアダプタ取付孔の開口縁内側に圧接するものとなり、これによりアダプタ取付孔の開口縁内側とアダプタ本体の側面との間の隙間に起因するガタの発生を確実に防止することができる。
【００１０】
さらに、パネルに震動を与えてもガタガタ音の発生を防ぐことができ、しかも光コネクタ用のアダプタ本体への光コネクタプラグの挿入が支障なく行える。
【図面の簡単な説明】
【００１１】
【図１】本発明を実施するための一形態におけるガタ止め具のアダプタ本体への使用例を示すもので、（ａ）は取り付け前の斜視図、（ｂ）は取り付け後の斜視図である。
【図２】同じくガタ止め具をアダプタ本体へ取り付けた状態の平面図である。
【図３】同じくガタ止め具の構成の一例を示すもので、（ａ）は斜視図、（ｂ）は平面図、（ｃ）は正面図、（ｄ）は側面図である。
【図４】同じくガタ止め具を取り付けたアダプタ本体をパネルのアダプタ取付孔に取り付ける工程を示すもので、（ａ）はアダプタ取付孔に取り付ける前の状態を示す一部切欠平面図、（ｂ）はアダプタ取付孔に取り付ける途中の状態を示す一部切欠平面図、（ｃ）はアダプタ取付孔に取り付けた後の状態を示す一部切欠平面図である。
【図５】同じくガタ止め具の構成の第２例を示す側面図である。
【図６】同じくガタ止め具の構成の第３例を示す側面図である。
【図７】従来例における光コネクタ用のアダプタ本体を示す平面図である。
【発明を実施するための形態】
【００１２】
以下、図面を参照して本発明の実施の一形態を詳細に説明すると、図示例で示す本発明に係る光コネクタ用アダプタは、１心コネクタ用のアダプタ本体１０によって構成され、高密度実装可能としたパネルＰの矩形開口状のアダプタ取付孔Ｑに嵌着固定されるものである。尚、光コネクタ用アダプタは、２心あるいは３心以上の光コネクタ用のアダプタ本体１０でも良いことは勿論である。
【００１３】
アダプタ本体１０は、図１（ａ）、図１（ｂ）、図２、図４（ａ）、図４（ｂ）、図４（ｃ）に示すように、二つの光コネクタプラグ相互を接続できるように、合成樹脂の成型品によって角筒状に形成されており、該アダプタ本体１０の両端に、光学軸が一致するように光コネクタプラグを挿入する一方のプラグ嵌合部Ａと、光コネクタプラグその他の光学部品のプラグを挿入する他方のプラグ嵌合部Ｂとをそれぞれ備えている。そして、アダプタ本体１０の中央に略コ字枠状となった左右一対の接合端壁が配置され、一方のプラグ嵌合部Ａにおける嵌合端、および他方のプラグ嵌合部Ｂにおける接続端がそれぞれ水平方向に開口している。
【００１４】
また、図４（ａ）、図４（ｂ）、図４（ｃ）に示すように、アダプタ本体１０の中央部に配される左右一対の接合端壁の一方には、一方の円筒が嵌合端に向かって突設してあると共に、他方の接合端壁には、他方の円筒が接続端に向かって突設してあり、両円筒が光学軸上で中心軸を一致させて接合端壁同士を係合固定することによってスリーブホルダー１３が形成される。このとき、スリーブホルダー１３内側に円筒状の割りスリーブが装着され保持されている。
【００１５】
アダプタ本体１０には、図１（ａ）、図１（ｂ）、図４（ａ）、図４（ｂ）、図４（ｃ）に示すように、その左右両側面の各中央に一体形成された縦長突起状の係止突部１１ａ、１１ｂと、該係止突部１１ａ、１１ｂ位置から例えば一方のプラグ嵌合部Ａ側に向けてアダプタ本体１０の両側面が抉られて薄肉厚となることでガタ止め具１の係合部１２が形成されている。
【００１６】
ガタ止め具１の係合部１２は、当該ガタ止め具１の両端側面部３と同形・同大の嵌合凹部１２ａとガタ止め具１の細長板状の中央支持面部２と同幅の嵌合溝部１２ｂとからなる。嵌合凹部１２ａはアダプタ本体１０の両側面の略中央の係止突部１１ａ、１１ｂ寄りに矩形状に形成され、一方嵌合溝部１２ｂは嵌合凹部１２ａの下部中央に連通して細溝状に形成されている。
【００１７】
而して、ガタ止め具１は、図１（ａ）、図１（ｂ）、図３（ａ）、図３（ｂ）、図３（ｃ）、図３（ｄ）に示すように、弾性を有するコ字枠状、すなわち細長板状の中央支持面部２の左右両端から起立連設された横幅広の矩形板状となった両端側面部３の後端側に第１係止片部３ａ、３ｂが延設されている。
【００１８】
また、ガタ止め具１の両端側面部３後端側の第１係止片部３ａ、３ｂは若干斜め外方向に折曲してなり、アダプタ本体１０の係止突部１１ａ、１１ｂの手前で係止された状態となって配置される。このとき、図２に示すように、第１係止片部３ａ、３ｂはアダプタ本体１０の側面から外方に向けて若干突出されており、アダプタ本体１０がパネルＰのアダプタ取付孔Ｑに挿入された際には、図４（ｃ）に示すように、ガタ止め具１の第１係止片部３ａ、３ｂが圧潰されながらアダプタ取付孔Ｑの開口縁内側を圧接してアダプタ本体１０自体がパネルＰにガタ無く保持されるようになっている。
【００１９】
さらに、ガタ止め具１の両端側面部３の中央には、図１（ａ）、図１（ｂ）、図３（ａ）、図３（ｄ）に示すように、コ字形スリット状となった横長の切込部５ａ、５ｂが形成され、この切込部５ａ、５ｂの根元から若干斜め外方向に切り起こすことで横長矩形板状の第２係止片部４ａ、４ｂが形成されている。このとき、第２係止片部４ａ、４ｂは、前側の根元位置から後方の第１係止片部３ａ、３ｂの位置する側に向けて弾性を付与した状態で略への字状に折曲して形成されており、アダプタ本体１０の係合部１２に装着されたときには、第２係止片部４ａ、４ｂ先端は、アダプタ本体１０の両側面部に形成された係止突部１１ａ、１１ｂに対向すべくなしてある。
【００２０】
尚、係止突部１１ａ、１１ｂから第２係止片部４ａ、４ｂ先端までの間隔は、パネルＰのアダプタ取付孔Ｑ部分の厚みと略同じ大きさとなるように設定してある。
【００２１】
かくして、アダプタ本体１０がパネルＰのアダプタ取付孔Ｑに挿入された際には、アダプタ本体１０に装着されたガタ止め具１の第２係止片部４ａ、４ｂが押圧されながらアダプタ取付孔Ｑに挿入され、前記係止突部１１ａ、１１ｂと第２係止片部４ａ、４ｂとの間にアダプタ取付孔Ｑの開口縁部を挟んで固定されるものとなる。
【００２２】
ところで、図１乃至図４に示すガタ止め具１は、両端側面部３の後端側の全体に第１係止片部３ａ、３ｂが延設されているが、この構造に限定されるものではない。
例えば、図５に示すように、後端側の上端角部に第１係止片部３ａ、３ｂを形成してもよい。
また、図６に示すように、両端側面部３の上端全体に第１係止片部３ａ、３ｂを形成してもよい。
【００２３】
次に、以上のように構成された形態についての使用の一例について説明する。
先ず、図１（ａ）に示すように、アダプタ本体１０の左右側面に設けられた係合部１２にガタ止め具１を下方側より押し込み、当該ガタ止め具１の両端側面部３を、係合部１２における嵌合凹部１２ａに、中央支持面部２を嵌合溝部１２ｂにそれぞれ嵌合させる。
【００２４】
これによって弾性を有するコ字枠状のガタ止め具１は、その両端側面部３の両側下端が、アダプタ本体１０の嵌合凹部１２ａの両側下端に設けられた段差部によって下方への抜けが規制されると同時に、アダプタ本体１０の側面および下面に圧接固定される。
【００２５】
次いで、図４（ａ）に示すように、パネルＰのアダプタ取付孔Ｑに、アダプタ本体１０のプラグ嵌合部Ａ側を挿入する。
【００２６】
図４（ｂ）に示すように、挿入の途中では、先ず、ガタ止め具１の第２係止片部４ａ、４ｂが押圧されながらアダプタ取付孔Ｑに挿入されて行く。
【００２７】
図４（ｃ）に示すように、アダプタ本体１０の係止突部１１ａ、１１ｂがアダプタ取付孔Ｑに当接した際には、第２係止片部４ａ、４ｂが弾性復帰して外方に拡がり、当該係止突部１１ａ、１１ｂと第２係止片部４ａ、４ｂ先端との間にアダプタ取付孔Ｑの開口縁部を挟んで固定される。
【００２８】
これと同時に第１係止片部３ａ、３ｂは圧潰しながらアダプタ取付孔Ｑの開口縁内側に圧接してアダプタ本体１０自体が保持され、アダプタ取付孔Ｑの開口縁内側とアダプタ本体１０の側面との間の隙間に起因するガタの発生が確実に防止される。
【符号の説明】
【００２９】
Ｐ                  パネル
Ｑ                  アダプタ取付孔
Ａ、Ｂ              プラグ嵌合部
１                  ガタ止め具
２                  中央支持面部
３                  両端側面部
３ａ、３ｂ          第１係止片部
４ａ、４ｂ          第２係止片部
５ａ、５ｂ          切込部
１０                アダプタ本体
１１ａ、１１ｂ      係止突部
１２                係合部
１２ａ              嵌合凹部
１２ｂ              嵌合溝部
１３                スリーブホルダー
１００              アダプタ本体
１０１ａ、１０１ｂ  係止突部
１０２ａ、１０２ｂ  バネ性係止片
【図１】
2011133611.tif 000003
【図２】
2011133611.tif 000004
【図３】
2011133611.tif 000005
【図４】
2011133611.tif 000006
【図５】
2011133611.tif 000007
【図６】
2011133611.tif 000008
【図７】
2011133611.tif 000009